【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
ビデオ信号のコーディングコンポーネント候補に対して少なくとも１つの操作を行うことにより、少なくとも１つの変更された候補を生成することと、
前記少なくとも１つの変更された候補が候補リスト中に存在しない場合、前記少なくとも１つの変更された候補を前記候補リストに加えることと、
によって、前記候補リストを使用してビデオ信号をエンコーディングすることを含む、方法。
【請求項２】
ビデオ信号のコーディングコンポーネント候補に対して少なくとも１つの操作を行うことにより、少なくとも１つの変更された候補を生成することと、
前記少なくとも１つの変更された候補が候補リスト中に存在しない場合、前記少なくとも１つの変更された候補を加えることと、
を含む、ビデオ信号をデコーディングすることを含む、方法。
【請求項３】
メモリと、
プロセッサであって、
ビデオ信号のコーディングコンポーネント候補に対して対して少なくとも１つの操作を行うことにより、少なくとも１つの変更された候補を生成することと、
前記少なくとも１つの変更された候補が候補リスト中に既に存在するか否かを決定することと、
前記少なくとも１つの変更された候補が前記候補リスト中に以前より存在していない場合、前記少なくとも１つの変更された候補を加えることと、
によって、前記候補リストを用いてビデオ信号をエンコードするように構成されたプロセッサと、
を含む装置。
【請求項４】
メモリと、
プロセッサであって、
ビデオ信号のコーディングコンポーネント候補に対して対して少なくとも１つの操作を行うことにより、少なくとも１つの変更された候補を生成することと、
前記少なくとも１つの変更された候補が候補リスト中に既に存在するか否かを決定することと、
前記少なくとも１つの変更された候補が前記候補リスト中に以前より存在していない場合、前記少なくとも１つの変更された候補を加えることと、
によって、前記候補リストを用いてビデオ信号をデコードするように構成されたプロセッサと、
を含む装置。
【請求項５】
前記少なくとも１つの操作が、クリッピング、丸め、及び異なる候補を選択することを含む、請求項２に記載の方法。
【請求項６】
前記ビデオ信号コーディングコンポーネント候補が、動きベクトル、基準ブロック、基準フレーム、基準フレームインデックス、及び基準フレームリストの少なくとも１つを含む、請求項２に記載の方法。
【請求項７】
前記少なくとも１つの操作が、Advanced Motion Vector Predictionプロセスにおいて、１／４ピクセル解像度への動きベクトルの丸め、及び両予測子の整数動きベクトル丸めを含む、請求項２に記載の方法。
【請求項８】
第２の動きベクトルが、第１の動きベクトルの候補と見なされないエリアで取得される、請求項７に記載の方法。
【請求項９】
動きベクトル、基準フレームインデックス、基準フレームリスト、及びＩＣフラグを含むマージ予測子が、前記候補リスト中に以前より存在していない場合前記候補リストに加えられる前記候補である、請求項２に記載の方法。
【請求項１０】
動きベクトル、基準フレームインデックス、及び基準フレームリストを含む、frame rate up conversionプロセスにおける候補が見つけられる、請求項２に記載の方法。
【請求項１１】
命令を含むコンピュータプログラムを記録する非一時的コンピュータ可読媒体であって、前記プログラムがコンピュータによって実行されると、前記命令が、請求項２及び請求項５〜１０の何れか一項に記載の方法を前記コンピュータに実施させる、非一時的コンピュータ可読媒体。
【請求項１２】
命令を含むコンピュータプログラムであって、前記プログラムがコンピュータによって実行されると、前記命令が、請求項２及び請求項５〜１０の何れか一項に記載の方法を前記コンピュータに実施させる、コンピュータプログラム。
【手続補正２】
【補正対象書類名】明細書
【補正対象項目名】００６７
【補正方法】変更
【補正の内容】
【００６７】
これらのリスト内の候補の一意性を確保することによって、限られたサイズのリストを有するツールの性能を、これらのリスト内に多様性を加えることによって向上させることが可能であり、及び／又は無制限のリストを有するツールの複雑さを、例えばこれらのリスト内で同一の候補を除去することによって減少させることが可能である。
ここで、以下の付記を記載する。
［付記１］
ビデオ信号のコーディングコンポーネント候補に対して少なくとも１つの操作を行うことにより、少なくとも１つの変更された候補を生成することと、
前記少なくとも１つの変更された候補が候補リスト中に存在しない場合、前記少なくとも１つの変更された候補を前記候補リストに加えることと、
によって、前記候補リストを使用してビデオ信号をエンコーディングすることを含む、方法。
［付記２］
ビデオ信号のコーディングコンポーネント候補に対して少なくとも１つの操作を行うことにより、少なくとも１つの変更された候補を生成することと、
前記少なくとも１つの変更された候補が候補リスト中に存在しない場合、前記少なくとも１つの変更された候補を加えることと、
を含む、ビデオ信号をデコーディングすることを含む、方法。
［付記３］
メモリと、
プロセッサであって、
ビデオ信号のコーディングコンポーネント候補に対して対して少なくとも１つの操作を行うことにより、少なくとも１つの変更された候補を生成することと、
前記少なくとも１つの変更された候補が候補リスト中に既に存在するか否かを決定することと、
前記少なくとも１つの変更された候補が前記候補リスト中に以前より存在していない場合、前記少なくとも１つの変更された候補を加えることと、
によって、前記候補リストを用いてビデオ信号をエンコードするように構成されたプロセッサと、
を含む装置。
［付記４］
メモリと、
プロセッサであって、
ビデオ信号のコーディングコンポーネント候補に対して対して少なくとも１つの操作を行うことにより、少なくとも１つの変更された候補を生成することと、
前記少なくとも１つの変更された候補が候補リスト中に既に存在するか否かを決定することと、
前記少なくとも１つの変更された候補が前記候補リスト中に以前より存在していない場合、前記少なくとも１つの変更された候補を加えることと、
によって、前記候補リストを用いてビデオ信号をデコードするように構成されたプロセッサと、
を含む装置。
［付記５］
前記少なくとも１つの操作が、クリッピング、丸め、及び異なる候補を選択することを含む、付記１若しくは２に記載の方法、又は付記３若しくは４に記載の装置。
［付記６］
前記ビデオ信号コーディングコンポーネント候補が、動きベクトル、基準ブロック、基準フレーム、基準フレームインデックス、及び基準フレームリストの少なくとも１つを含む、付記１若しくは２に記載の方法、又は付記３若しくは４に記載の装置。
［付記７］
前記少なくとも１つの操作が、Advanced Motion Vector Predictionプロセスにおいて、１／４ピクセル解像度への動きベクトルの丸め、及び両予測子の整数動きベクトル丸めを含む、付記１若しくは２に記載の方法、又は付記３若しくは４に記載の装置。
［付記８］
第２の動きベクトルが、第１の動きベクトルの候補と見なされないエリアで取得される、付記７に記載の方法又は装置。
［付記９］
動きベクトル、基準フレームインデックス、基準フレームリスト、及びＩＣフラグを含むマージ予測子が、前記候補リスト中に以前より存在していない場合前記候補リストに加えられる前記候補である、付記１若しくは２に記載の方法、又は付記３若しくは４に記載の装置。
［付記１０］
動きベクトル、基準フレームインデックス、及び基準フレームリストを含む、frame rate up conversionプロセスにおける候補が見つけられる、付記１若しくは２に記載の方法、又は付記３若しくは４に記載の装置。
［付記１１］
再生するための、付記１及び付記５〜１０の何れか一に記載の方法に従って、又は付記３及び付記５〜１０の何れか一に記載の装置によって生成されたデータコンテンツを含む、非一時的コンピュータ可読媒体。
［付記１２］
再生するための、付記１及び付記５〜１０の何れか一に記載の方法に従って、又は付記３及び付記５〜１０の何れか一に記載の装置によって生成されたビデオデータを含む、信号。
［付記１３］
命令を含むコンピュータプログラム製品であって、前記プログラムがコンピュータによって実行されると、前記命令が、付記２及び付記５〜１０の何れか一に記載の方法を前記コンピュータに実施させる、コンピュータプログラム製品。